(57)【要約】【課題】  ボルナ病ウイルス(Borna Disease Virus,以下「ＢＤＶ」という。)に対する抗体検査をより正確に実施するための抗原ポリペプチド及び該ポリペプチドを用いたＢＤＶ測定方法を提供する。【解決手段】  ＢＤＶを構成する蛋白質のうち、ｐ１０領域から選択された抗原を単独又は、ｐ２４領域及び／若しくはｐ４０領域から選択される抗原ポリペプチドを組み合わせて使用することによる。具体的には、配列番号７および８に記載の抗原ポリペプチドを単独又は、ｐ２４領域及び／若しくはｐ４０領域から選択される抗原ポリペプチドと組み合わせて使用することによる。【特許請求の範囲】
【請求項１】
ボルナ病ウイルス（ＢＤＶ）蛋白質のｐ１０領域から選択された抗原ポリペプチドからなる抗ＢＶＤ抗体検出試薬。
【請求項２】
請求項１に記載の抗原ポリペプチドが、少なくとも８個のアミノ酸から構成される抗原ポリペプチドからなる抗ＢＶＤ抗体検出試薬。
【請求項３】
請求項１に記載の抗原ポリペプチドが、配列番号：５、６、７又は８に記載のアミノ酸配列を含むポリペプチドからなる抗ＢＶＤ抗体検出試薬。
【請求項４】
請求項１に記載の抗原ポリペプチドを用いる抗ＢＤＶ抗体の検出方法。
【請求項５】
請求項１に記載の抗原ポリペプチドと、ボルナ病ウイルス（ＢＤＶ）蛋白質のｐ２４領域及び／又はｐ４０領域から選択された抗原ポリペプチドを用いることを特徴とする抗ＢＤＶ抗体の検出方法。
【請求項６】
請求項５に記載のｐ２４領域の抗原ポリペプチドが、配列番号：１又は２に記載のアミノ酸配列を含むポリペプチドからなる抗ＢＤＶ抗体の検出方法。
【請求項７】
請求項５に記載のｐ４０領域の抗原ポリペプチドが、配列番号：３又は４に記載のアミノ酸配列を含むポリペプチドからなる抗ＢＤＶ抗体の検出方法。
【請求項８】
抗体測定方法が免疫凝集反応である請求項４に記載の抗ＢＤＶ抗体の検出方法。
【請求項９】
免疫凝集反応が微粒子計数免疫測定法である請求項８に記載の抗体検出方法。
【発明の詳細な説明】
【技術分野】
【０００１】
本発明は、抗ＢＤＶ抗体測定用ポリペプチド及び抗ＢＤＶ抗体測定方法に関する。
【背景技術】
【０００２】
ボルナ病ウイルス(Borna Disease Virus,以下「ＢＤＶ」という。)を原因ウイルスとする免疫関与神経症候群であるボルナ病についてはいまだ解明されていないことも多い。ボルナ病は、ドイツ及びその周辺諸国で、四季を通じて馬に発生するウイルス性脳脊髄縁である。脳性麻痺や情動傷害等の症状を呈し、急性経過をたどると致死的である。脳性麻痺や情動傷害等の症状を呈し、急性経過をたどると致死的である。ラットに実験的に感染させると、多動、常同行動、運動障害及び失調症を特徴とする多相性症候群を発症する(O. Narayanら, Science, 220:1401-1403(1983))。
【０００３】
ＢＤＶは、自然宿主であるウマに対する病原性が知られており、1985年に精神疾患患の血清中にＢＤＶと反応する抗体が存在することが指摘され、ヒトに対しても病原性をもつ可能性が示唆されてきた。ＢＤＶの感染疫学的研究は、精神疾患の理解に多大な貢献をすることになる。最近、ＢＤＶ遺伝子が精神疾患遺伝子群の血球にある頻度で認められている。
【０００４】
ＢＤＶは低い力価でしか増殖しないので、分析のために精製することは困難である。ＢＤＶ感染の診断は、この疾患に共通する臨床症状の出現、及び間接免疫蛍光検査（ＩＦＴ）（G. Pauliら、Zbl. Vet. Med.［B］, 31:552-557 (1984))、ウエスタンブロット又は免疫沈澱等により、感染細胞中のウイルス蛋白質を検出する血清抗体を検出することにより行っている。これらの方法は取り扱いが難しく、ヒトや家畜集団の大量調査で用いるのは困難である。
ＢＤＶの配列は既に解明され、抗ＢＤＶ抗体をエライザ法(ELISA)で測定する方法が報告されており、ここではｐ２３、ｒｅｃｐ２３、ｐ４０及びｒｅｃｐ４０抗原を使用している（特許文献１）。また、血漿中のＢＤＶ特異的な循環免疫複合体（ＣＩＣ）を決定する事を含む試験方法も報告されており、ここではｐ４０及びｐ２４抗原が使用されている（特許文献２）。さらに、ｐ４０及びｐ２４の領域から選択される具体的なアミノ酸配列を含む抗原ポリペプチドを用いた磁気ビーズによる抗体検出方法も報告されている（特許文献３）。
【０００５】
しかしながら、ＢＤＶの性質については、未だ十分に解明されているとはいえず、ＢＤＶに対する抗体の出現の時期や正確な抗体の検出方法については不明な点が多く残されており、より正確な抗体検出方法の開発が望まれている。
【０００６】
【特許文献１】特開２００２−１９０２８８号公報
【特許文献２】特表２００２−５００３６３号公報
【特許文献３】特開平１１−１８０９９８号公報
【発明の開示】
【発明が解決しようとする課題】
【０００７】
本発明の課題は、ＢＤＶに対する抗体検査をより正確に実施するための抗原ポリペプチド及び該ポリペプチドを用いた抗ＢＤＶ抗体測定方法を提供することにある。
【課題を解決するための手段】
【０００８】
本発明者らは、上記課題を達成すべく鋭意研究を重ねた結果、ＢＤＶを構成する蛋白質のうち、ｐ１０領域から選択された抗原を単独あるいはｐ２４領域及び／又はｐ４０領域から選択される抗原ポリペプチドと組み合わせて使用することにより、上記課題を解決しうることを見出し、本発明を完成した。
【０００９】
すなわち本発明は、
１．ボルナ病ウイルス（ＢＤＶ）蛋白質のｐ１０領域から選択された抗原ポリペプチドからなる抗ＢＶＤ抗体検出試薬、
２．前項１に記載の抗原ポリペプチドが、少なくとも８個のアミノ酸から構成される抗原ポリペプチドからなる抗ＢＶＤ抗体検出試薬、
３．前項１に記載の抗原ポリペプチドが、配列番号：５、６、７又は８に記載のアミノ酸配列を含むポリペプチドからなる抗ＢＶＤ抗体検出試薬、
４．前項１に記載の抗原ポリペプチドを用いる抗ＢＤＶ抗体の検出方法、
５．前項１に記載の抗原ポリペプチドと、ボルナ病ウイルス（ＢＤＶ）蛋白質のｐ２４領域及び／又はｐ４０領域から選択された抗原ポリペプチドを用いることを特徴とする抗ＢＤＶ抗体の検出方法、
６．前項５に記載のｐ２４領域の抗原ポリペプチドが、配列番号：１又は２に記載のアミノ酸配列を含むポリペプチドからなる抗ＢＤＶ抗体の検出方法、
７．前項５に記載のｐ４０領域の抗原ポリペプチドが、配列番号：３又は４に記載のアミノ酸配列を含むポリペプチドからなる抗ＢＤＶ抗体の検出方法、
８．抗体測定方法が免疫凝集反応である前項４に記載の抗ＢＤＶ抗体の検出方法、
９．免疫凝集反応が微粒子計数免疫測定法である前項８に記載の抗体検出方法、
からなる。
【発明の効果】
【００１０】
本発明の抗原ポリペプチドを用いて測定すると、ＢＤＶに関連する抗原そのものを検出することができないような場合であっても、ＩｇＭ抗体の出現を見逃すことなく検出することができ、感染の有無を判定することが可能となる。さらに、例示するＣＩＡ法は、人蓄共通感染症の起因となるＢＤＶを、ウマやヒト等について同一の試薬を用いて検出することができる。
【発明を実施するための最良の形態】
【００１１】
（抗原ポリペプチド）
ＢＤＶの感染の診断を行うために、本発明の抗原ポリペプチド、すなわち以下に示すいずれかの抗原ポリペプチドを用いることができる。具体的には、次の１）〜４）のいずれかに記載の抗原ポリペプチドを使用することができる。
１）ＢＤＶ蛋白質のｐ１０領域から選択された抗原ポリペプチドであって、該ポリペプチド単独で、若しくは他の抗原ペプチドと組み合わせて用いることにより抗ＢＤＶ抗体検出能を有することを特徴とする抗原ポリペプチド。
２）上記１）に記載の選択された抗原ポリペプチドが、少なくとも８個のアミノ酸から構成されることを特徴とする抗原ポリペプチド。
２）上記１）に記載の選択された抗原ポリペプチドが、８〜２０のアミノ酸から構成されることを特徴とする抗原ポリペプチド。
３）配列番号：５、６、７又は８に記載のアミノ酸配列を含むポリペプチド。
４）上記１）〜３）のいずれか１に記載のアミノ酸配列において１若しくは数個のアミノ酸が欠失、置換若しくは付加されたアミノ酸配列からなるポリペプチドであって、該ペプチド単独で、若しくは他の抗原ペプチドと組み合わせて用いることにより抗ＢＤＶ抗体検出能を有する抗原ポリペプチド。
【００１２】
上記の抗原ポリペプチドは、１若しくは複数種選択することができる。また、他の公知の抗原及び／又は抗原ポリペプチドと組み合わせて使用することができる。例えば、ＢＤＶ蛋白質のｐ２４領域及び／又はｐ４０領域から選択される抗原ポリペプチドを組み合わせて使用することができる。具体的には、
１）配列番号：１〜６のいずれかに記載されたアミノ酸配列を含む抗原ポリペプチド、
２）上記１）に記載のアミノ酸配列において１若しくは数個のアミノ酸が欠失、置換若しくは付加されたアミノ酸配列からなるポリペプチドであって、該ペプチド単独で、若しくは他の抗原ペプチドと組み合わせて用いることにより抗ＢＤＶ抗体検出能を有する抗原ポリペプチドと組み合わせて使用することができる。また、一のポリペプチドに、少なくとも配列番号：５、６、７、８に記載のアミノ酸配列を１又は２以上含有したポリペプチドを用いて、ＢＤＶ抗体を検出しても良い。また、この配列番号：５、６、７、８に示されるポリペプチドは、１若しくは数個のアミノ酸が欠失、置換若しくは付加されたアミノ酸配列からなるポリペプチドであっても良い。
【００１３】
本発明で使用する抗原ポリペプチドは、配列情報に基づいて、通常の手法で合成により調製することができる。また、抗原ポリペプチドを固相担体や、蛋白質等に効率良く結合させる目的で、１若しくは複数個のアミノ酸をスペーサとして抗原ポリペプチドのＮ末端側に付加することができる。スペーサとして機能しうるアミノ酸の例としては、グリシン、リジンが挙げられるが、好ましくはグリシンである。
【００１４】
特に具体的に例示されるＢＤＶ抗原ポリペプチドの配列として、以下のものが挙げられる。各配列の最左部に示す１又は２のグリシンは、スペーサを表す。
ｐ２４  P1:  41-55    GG-QPVDQLLKDLRKNPS    （配列番号：１）
P2:  59-77    GG-DPDQRTGREQLSNDELI  （配列番号：２）
ｐ４０  P3:   3-20    GG-PKRRLVDDADAMEDQDLY （配列番号：３）
P4:338-358    GG-RYRRREISRGEDGAELSGE（配列番号：４）
ｐ１０ (No/98) 
P5:  18-36    G-GNTTVESGRLSGGRRRSPD （配列番号：５）
P6:  43-57    G-GLTKTKEDSKECTDP     （配列番号：６）
ｐ１０ (Control) 
P7:  18-36    G-GNATIESGRLPGGRRRSPD （配列番号：７）
P8:  43-57    G-GVTKTTEDPKECTDP     （配列番号：８）
【００１５】
（抗体測定用試料）
本発明の抗体測定用試料は、生体内の抗体が測定することができれば良く、特に限定されないが、ヒトや動物の全血、血漿、血清、骨髄、バフィーコート、尿、体液、唾液、鼻汁、涙液、糞便由来物等が例示される。
【００１６】
（抗体測定方法）
本発明の抗体測定方法は、本発明の抗原ポリペプチドを用いて測定する方法であれば良く、特に限定されない。例えば酵素免疫測定法、蛍光免疫測定法、放射免疫測定法、凝集法、ウエスタンブロット法、化学発光免疫測定法、など常用されている方法のいずれも適用することができる。特に好ましい測定方法として、免疫凝集法が挙げられる。
例えば、凝集法の一種であるカウンティングインムノアッセイ法(Counting Immunoassay法：以下「ＣＩＡ法」という。)による測定は、Sysmex Journal Vol.20 No.1, 77-86(1997)に記載の方法により行うことができる。
【００１７】
抗原ペプチド感作用担体の例として、有機高分子粉末、無機物質粉末、微生物、血球及び細胞膜片などが挙げられる。有機高分子粉末としては、不溶性アガロース、セルロース、不溶性デキストランなどが例示でき、好ましくはラテックス粒子が広く利用される。ラテックスとしては、例えばポリスチレン、ポリスチレン−スチレンスルホン酸塩共重合体、メタクリル酸重合体、アクリル酸重合体、アクリルニトリル−ブタジエンスチレン共重合体、塩化ビニル−アクリル酸エステル共重合体、ポリ酢酸ビニルアクリレート等が挙げられる。
【００１８】
使用するラテックス粒子の素材及び粒子径は、免疫グロブリンの抗原抗体反応によりラテックス粒子が凝集塊を形成しうるものであれば良く、特に限定されない。ラテックスの平均粒径は、測定対象物の検出濃度あるいは測定機器により0.05〜1.0μm、好ましくは0.3〜0.85μmのものが適宜選択される。無機物質粉末としては、シリカ、アルミナ、あるいは金、チタン、鉄、ニッケル等の金属片などが例示される。
【００１９】
抗原ペプチド感作用担体、具体的に抗原（抗体）結合ラテックス粒子と試料に含まれる抗体（抗原）が反応すると、抗体の量に応じてラテックス粒子が凝集する。カウンティングイムノアッセイでは凝集した粒子ひとつひとつの大きさの違いを弁別してカウントして測定を行う。例えば、凝集していない単独のラテックス粒子のカウント数をＭ(Monomer)、２個以上のラテックス粒子が凝集したもののカウント数をＰ(Polymer)、ＭとＰの和をＴ(Total)としたとき、Ｐ／Ｔを凝集度として算出することができる。
【００２０】
担体への抗原感作は、抗原を直接ラテックス粒子に感作させても良く、例えば血清アルブミン等のようなリガンドを目的抗原に結合させて、ラテックス粒子に感作させるなど効率の良い方法を選択することができる。抗原感作量は、担体1mgあたり100μgまでの範囲で必要に応じて自由に設定することができる。好ましくは、上記抗原ペプチド及び／又はコンジュゲートＢＤＶ抗原ペプチドと非特異反応抑制のためのブロッキング剤として使用する蛋白質とあわせて合計100μgまでの範囲で設定することができる。ブロッキング剤は、抗原を感作した後又は抗原と同時に担体に固定することができる。
【００２１】
ＣＩＡ法をはじめとする凝集法によると、ラテックス粒子に固定した抗原に対し、検体試料中の抗体が反応することにより、ラテックス粒子とラテックス粒子が抗体により架橋され、凝集を形成することになる。この場合に、ＩｇＭクラスの抗体であっても、ＩｇＧクラスの抗体であっても、ラテックスと反応すれば架橋を形成しうるので、ＩｇＭ及びＩｇＧが混入している検体試料において、ＩｇＭ及びＩｇＧを同時に測定することが可能となる。さらに、本方法は目的とする抗体が抗原ポリペプチドを感作した不溶性担体と結合することにより検出され、目的抗体をさらに蛍光物質等を感作した抗原や抗体等との反応を必要としない。即ち、本方法によると、ヒト及びヒト以外の哺乳動物の試料についても試薬を変更することなく同様にＢＤＶ抗体を検出することができる。ＢＤＶは、ウマ等の哺乳動物及びヒトにも感染しうる人畜共通感染症にかかわるものであるため、ここで例示したＣＩＡ法を採用することは有用である。
【００２２】
測定方法は公知の方法に従い、用いられる不溶性担体の大きさもしくは濃度、反応時間を設定することにより、散乱光強度、吸光度又は透過光強度の増加もしくは減少を測定することにより行うことができ、これらの方法を２種以上併用してもよい。
【００２３】
本発明は、上記抗原ポリペプチドを含む試薬及び試薬キットにも及ぶ。
【実施例】
【００２４】
以下、本発明の内容を実施例を用いて具体的に説明するが、本発明はこれらに何ら限定されるものではない。
【００２５】
（実施例１）抗ＢＤＶ抗体の検出
本実施例は、宮崎県都井岬で管理されているウマ４７頭について、ＢＤＶの感染の有無を調べた。測定は、1998年に採取した血清について行った。
【００２６】
（ウマ血しょうの処理方法）
ヘパリン採血による採血後、氷冷し、当日中に処理し、血しょうサンプルを得た。
【００２７】
（抗原ペプチド）
配列番号：１（Ｐ２４(P1)）、配列番号：３（Ｐ４０(P3)）、配列番号：４（Ｐ４０(P4)）、配列番号：７（Ｐ１０(P7)）及び配列番号：８（Ｐ１０(P8)）の抗原ペプチドを用いた。
【００２８】
（抗原ペプチドの感作）
１）抗原ペプチドｐ２４（P1）：5mg/mLウシ血清アルブミン24μL(120μg相当)にペプチド300μgとグルタールアルデヒド120μgを加え、30℃で30分間静置し、コンジュゲートさせたもの、
２）抗原ペプチドｐ４０（P3）：5mg/mLウシ血清アルブミン24μL(120μg相当)にペプチド300μgとグルタールアルデヒド120μgを加え、30℃で30分間静置し、コンジュゲートさせたもの、
３）抗原ペプチドｐ４０（P4）：5mg/mLウシ血清アルブミン24μL(120μg相当)にペプチド300μgとグルタールアルデヒド120μgを加え、30℃で30分間静置し、コンジュゲートさせたもの、
４）抗原ペプチドｐ１０（P7）：5mg/mLウシ血清アルブミン24μL(120μg相当)にペプチド300μgとグルタールアルデヒド120μgを加え、30℃で30分間静置し、コンジュゲートさせたもの、
５）抗原ペプチドｐ１０（P8）：5mg/mLウシ血清アルブミン24μL(120μg相当)にペプチド300μgとグルタールアルデヒド120μgを加え、30℃で30分間静置し、コンジュゲートさせたもの、
上記１）〜５）のＢＤＶ抗原コンジュゲート全量を、粒径0.8μmのラテックス粒子懸濁液（5mgのラテックス担体を含む）1mLに加え、37℃で1時間静置した。その後、ラテックス粒子を洗浄し、各抗原の感作ラテックス液を調製した。また同様にウシ血清アルブミン（BSA）120μgを粒径粒径0.8μmのラテックス粒子懸濁液（5mgのラテックス担体を含む）1mLに加え、37℃で1時間静置した。その後、ラテックス粒子を洗浄し、未感作ラテックス液を調製した。
【００２９】
（測定）
シスメックス社製測定装置（PAMIA-50）を用いて抗ＢＤＶ抗体を測定した。
反応プレートのウェルに、ラテックス凝集反応用緩衝液を80μL、各ウマ血清試料を10μL及び上記調製したラテックス粒子を含む溶液を10μLを添加し、45℃で反応させた。
反応を開始して約15分後に19μLの反応混合物を装置のチャンバ内の950μLのシース液に加えて51倍に稀釈した。稀釈により、凝集反応を停止させ、その後、凝集度を光学検出部で検出した。
予め測定しておいた検量線（陰性コントロールＰ／Ｔ％及びカットオフコントロールＰ／Ｔ％）より数１に従い、検体のカットオフインデックス（ＣＯＩ）値を求めた。検体のＣＯＩ値により、以下のとおり判定した。
陽性：ＣＯＩ≧１
陰性：ＣＯＩ＜１
【００３０】
【数１】
2004309469.tif 000002
【００３１】
（測定結果）
上記の測定結果を表１に示した。その結果、全てのウマ血清についてＢＤＶ陽性を示した。
【００３２】
（比較例１）
実施例１に記載のウマ４７頭について、以下に説明するＥＣＬＩＡ法を従来法として用い、従来法により1998年に採取した血清について測定を行った。ウマ血清の処理方法は実施例１と同様に行った。
【００３３】
１．測定原理：
ＥＣＬＩＡ法は、ＢＤＶ抗原を結合したマイクロビーズを固相とし、電気化学変化で発光するＲｕ錯体を標識した抗ヒトＩｇＧモノクロナール抗体を用いたサンドイッチ法を原理としている。
各反応について以下に説明する。
・第一反応
抗原結合ビーズと検体を反応させると、検体中の抗体がビーズ上の抗原と結合する。
・第二反応
ビーズに結合した抗体にルチニウム標識抗ヒトＩｇＧモノクロナール抗体を反応させ、サンドイッチ状に結合する。
・第三反応
電極上にビーズを集めて電気エネルギーを加えると、抗体を介してビーズに結合したルチニウム標識抗ＩｇＧモノクロナール抗体量に応じてＲｕ錯体が発光する。この発光量を計測することにより、検体中の抗体を検出する。
【００３４】
２．測定方法：
以下の手順で測定を実施した。
（１）反応管に反応液200μL、被検検体20μL、抗原結合ビーズ液を25μL注入し、30℃で９分間の反応を行った。（第一反応）
（２）反応管に磁石を接近させ、反応管壁にビーズを集めた後、反応管の液を吸引除去し、さらに洗浄液を注入し、振盪攪拌した。
（３）反応管に磁石を接近させ、反応管壁にビーズを集めた後、反応管の液を除去した。
（４）反応管にルチニウム標識抗ＩｇＧモノクロナール抗体液を200μL注入し、30℃で9分間の反応を行った。（第二反応）
（５）反応管に磁石を接近させ、反応管壁にビーズを集めた後、反応管の液を除去し、さらに洗浄液を注入し、振盪攪拌した。
（６）反応管に磁石を接近させ、反応管壁にビーズを集めた後、反応管の液を除去し、発光電解液300μL注入し、ビーズをフローセル電極に導き、発光量を測定した。（第三反応）
【００３５】
３．使用抗原：
下記２種類の抗原を使用
・ＢＤＶ  ｐ２４リコンビナント抗原
・ＢＤＶ  ｐ４０リコンビナント抗原
【００３６】
４．結果
その結果、検体Ｎｏ．１〜２３については、1998年の結果を比較すると従来法では陰性であったが、本発明の測定方法では陽性であった（表１）。
一方、検体Ｎｏ．２４〜３６については従来法と本発明の測定結果ともに陽性であり、一致した（表２）。また、検体Ｎｏ．３７〜４７ついては従来法と本発明の測定結果ともに陰性であり、一致した（表３）。
不一致の検体については、従来法で陰性であったにもかかわらず、本発明の抗原ペプチドを用いて測定を行った系では陽性と判断され、感度よくＢＤＶ抗体の検出が可能となった。検体Ｎｏ．１１、１２、１４、１５及び１８についてはｐ１０(P7)又はｐ１０（P8）で抗ＢＤＶ抗体を検出することができた。また、複数の抗原ポリペプチドを組み合わせることにより、抗ＢＤＶ抗体検出能をより高めることが可能である。
【００３７】
【表１】
2004309469.tif 000003
【００３８】
【表２】
2004309469.tif 000004
【００３９】
【表３】
2004309469.tif 000005
【００４０】
（実施例２）
宮崎県都井岬で管理されている８２頭のウマについて、1998年に採取した血清を、本発明の抗原ポリペプチドを用いて実施例１に記載の方法で測定した結果及び従来法である比較例の方法で測定した結果、各測定法によりＢＤＶ抗体陽性及び陰性と判断された群について５年間の生存率を調べた。その結果、表４に示すように、本発明の方法で測定した場合には抗体陽性の場合の死亡率が66.7％であり、抗体陰性の場合には死亡率が28.3％であった。一方、従来法による場合には抗体が陽性の場合の死亡率は52.4％であったが、抗体が陰性の場合でも死亡率は42.6％であった。本発明の抗原ポリペプチドを用いて測定した場合は抗体陽性の死亡率が高くあらわれ、測定結果が死亡率に反映し、より正確なＢＤＶ感染の検査を行うことが可能となった。
【００４１】
【表４】
2004309469.tif 000006
【産業上の利用可能性】
【００４２】
以上説明したように本発明の抗原ポリペプチドを用いて測定した結果、ＢＤＶに関連する抗原そのものを検出することができないような場合であっても、ＩｇＭ抗体の出現を見逃すことなく検出することにより、感染の有無を判定することが可能となり有用である。さらに、例示するＣＩＡ法は、人蓄共通感染症の起因となるＢＤＶを、ウマやヒト等について同一の試薬を用いて検出することができ、極めて有用である。
【配列表】
2004309469000001.app